(57)【要約】      （修正有）【課題】屋根の覆いとしての役割も果たす光起電性タイルアセンブリを機械的及び電気的に接続するベースタイル。【解決手段】ベースタイル１００は、第１の面１０４を有する基材１０２と、基材１０２によって支持される電気接続システムとを含む。電気接続システムは、複数の導電性ポストを含む。各ポストは、ベースタイル１００の底面１１２から基材１０２の第１の面１０４に向かって延びる。各ポストの自由端は、光起電性タイルへの電気的及び機械的な接続を可能にする。電気接続システムはまた、ポストを共に電気的に接続する導電体を含む。【選択図】図１
2010065521.tif 000002
【特許請求の範囲】
【請求項１】
複数の孔とともに形成される第１の面を有する基材、及び、
基材に支持される電気接続システムを含むベースタイルアセンブリであって、電気接続システムは、基材の第１の面に向かって延び、かつ、第１の面内の各孔を介して受けることができる自由端を有する複数の導電ポスト、及びポストを相互に電気的に接続する複数の導電体、を含むベースタイルアセンブリ。
【請求項２】
基材が鋳造可能な材料から製造される請求項１に記載のベースタイル。
【請求項３】
導電体が基材に取り付けられる請求項２に記載のベースタイル。
【請求項４】
基材は、導電体が配置されるキャビティを定めるボトムシェルを含む請求項１に記載のベースタイル。
【請求項５】
ボトムシェルは、平坦な底面、及び、底面について広がる周壁を含み、キャビティが底面と周壁との間に定められる請求項４に記載のベースタイル。
【請求項６】
キャビティが断熱材で満たされる請求項４又は５に記載のベースタイル。
【請求項７】
キャビティに横たわり、孔とともに与えられるトップシェルをさらに含み、ポストの自由端が孔を介して延びる請求項４から６のいずれか１項に記載のベースタイル。
【請求項８】
トップシェルは、複数のマーカとともに与えられ、機械的な締結具が基材を含む平面に垂直な平面内でマーカを通過するような位置に配置されるマーカが、導電性レールから離される請求項７に記載のベースタイル。
【請求項９】
基材は、マーカの下側に、固体領域を含む請求項８に記載のベースタイル。
【請求項１０】
近接するベースタイル間の防水シールを与えるためのタイルシーリングシステムをさらに含む請求項１から９のいずれか１項に記載のベースタイル。
【請求項１１】
前記シーリングシステムは、近接する近接タイル間に機械的な接続を与える請求項１０に記載のベースタイル。
【請求項１２】
タイルシーリングシステムは、ベースタイルの一方側に沿って延びる、横に延びる舌状部、及びベースタイルの他方側に延びる縦溝を含み、舌状部と溝は、近接するベースタイル間に防水シールを形成するために、近接するベースタイルのそれぞれの溝と舌状部に取り付けられるように構成される請求項１０又は１１に記載のベースタイル。
【請求項１３】
導電体は、複数のポストが接続される導電性レールを含み、レールは、基材の一方側から他方側に延び、一端部での第１の電気コネクタ及び第２の端部での補助的な第２の電気コネクタとともに与えられ、それによって、第１のベースタイルにおけるレールの第１の電気コネクタが、対応する近接のベースタイルの各レールの間の電気的導通性を与えるために、第２の近接のベースタイルのレールの第２のコネクタに接続される請求項１から１２のいずれか１項に記載のベースタイル。
【請求項１４】
第１の電気コネクタと第２の電気コネクタの一方又は両方は、共に接続されたときに、第１及び第２の電気コネクタの間の機械的なバイアスの力を作用させるために、弾力性の度合いとともに与えられる機械的バイアスが第１及び第２の電気コネクタの間の接続を維持するように作用する請求項１３に記載のベースタイル。
【請求項１５】
第１の電気コネクタは、ソケットの形式であり、第２の電気コネクタは、１以上の放射状の弾力接触とともに与えられるプラグの形式である請求項１４に記載のベースタイル。
【請求項１６】
第１及び第２の電気コネクタは、近接するベースタイル間の分離の所定範囲の電気接続を維持するように構成される請求項１２から１５のいずれか１項に記載のベースタイル。
【請求項１７】
複数の導電性レールは、導電性のための名目上の正及び負の電極レールを与えるためにペアで配置される請求項１から１６のいずれか１項に記載のベースタイル。
【請求項１８】
各ペアにおける導電性レールは、それらの各ポストが、ベースタイルの一方側から他方側まで延びるライン内に交互に配置されるように、配列される請求項１７に記載のベースタイル。
【請求項１９】
各ペアにおける導電性レールは、それらの各ポストが直線上にあるように構成される請求項１８に記載のベースタイル。
【請求項２０】
導電体がワイヤを含む請求項１から１２のいずれか１項に記載のベースタイル。
【請求項２１】
ワイヤは、選択可能な電気接続構成を与えるために、ポストについてカスタム接続を可能にするように構成される請求項２０に記載のベースタイル。
【請求項２２】
ワイヤは、ポストに接続される電気装置間に直列接続を与えるために、ポストに接続される請求項２１に記載のベースタイル。
【請求項２３】
基材は、各ポストをシールするための複数のソケットとともに形成される請求項２０から２２のいずれか１項に記載のベースタイル。
【請求項２４】
ソケットは、ポストに締まりばめを与えるように構成される請求項２３に記載のベースタイル。
【請求項２５】
ソケットとポストの一方または両方は、ワイヤとポストの間の電気的接続を与えるためにワイヤの端部を把持するようにさらに構成される請求項２３又は２４に記載のベースタイル。
【請求項２６】
各ポストの自由端は、電気的要素に対する機械的及び電気的接続を可能にする接続具に備えられる請求項１から２５のいずれか１項に記載のベースタイル。
【請求項２７】
接続具は、複数の弾力的なまたは弾力的に支持される、放射状に延びる、ポストに取り付けられるフィン又は鉤のような突起部を含む請求項２６に記載のベースタイル。
【請求項２８】
接続具は、放射状に延びるスプリングと、スプリングから離される１以上の導電性の突起部とを含み、ポストの自由端は、突起部に接触する装置の反対側にバイアスをかけるために、装置の一方側に作用するスプリングとともに電気装置内の孔を通過できる請求項２６に記載のベースタイル。
【請求項２９】
接続具は、ポストの自由端に形成されるねじ山とねじ山に螺合されるように適合されるナットとの組み合わせを含む請求項２６に記載のベースタイル。
【請求項３０】
ナットは、キャップ内に取り付けられる請求項２９に記載のベースタイル。
【請求項３１】
接続具は、第１の面に近接する端部で各ポストに形成される、ねじが形成された軸状の孔と、孔内に螺合されるように第１の面内の孔を通過することができるねじが形成されたシャンクを有するスクリュー又はボルトとの組み合わせを含む請求項２６に記載のベースタイル。
【発明の詳細な説明】
【技術分野】
【０００１】
本発明は、排他的なものではないが、特に、太陽エネルギを電気エネルギに変換するために、実質的にビルディングの屋根に支持される太陽電池の使用のためのベースタイルに関する。
【背景技術】
【０００２】
ビルディングのエネルギ需要を補うために電気エネルギを供給するために、ビルディングの屋上に取り付けられた太陽電気パネルが使用されることがよく知られている。そのようなパネルは、既存の屋根の覆いに重なる屋根に適合される。すなわち、パネルは、それら自体、屋根の覆いに置き換えられるものではなく、又は屋根の覆いとしての役割を果たすものでもない。
【発明の概要】
【発明が解決しようとする課題】
【０００３】
出願人は、以前に、屋根の覆いとしての役割も果たす光起電性タイルアセンブリを考え出した。そのアセンブリは、１以上の機械的な締結具が、上に横たわる屋上構造物に固定するために駆動され、そして、ベースタイルに横たわり、取り付けられる１以上のカバータイルを含む。各カバータイルは、太陽エネルギを電気エネルギに変換するための太陽電池に備えられるベースタイルを含む。カバータイルは、接続ポストによって、電気的及び機械的に、対応するベースタイルに接続される。ポストは、カバータイルのベースタイルへの電気的及び機械的な接続を与えるために、カバータイルを貫通する第１の端部を有する。各ポストの反対側の第２の端部が、ベースタイルによって運ばれる電気的な接続チューブに機械的及び電気的に接続される。
【０００４】
さらに出願人の上記の光起電性タイルアセンブリの詳細が、シンガポール共和国特許出願番号２００７１６８７１−９に提供される。
【課題を解決するための手段】
【０００５】
特許請求の範囲と先行する発明の記載において、文脈が要求するところを除き、あるいは言語又は必要な含意を表現するために、「含む」、「含んでいる」の語は、包括的な意味、例えば、定まった特徴の存在を特定するが、発明の様々な実施形態のさらなる特徴の存在又は付加を排除するものではない。
【０００６】
本発明の１つの特徴は、複数の孔とともに形成される第１の面を有する基材、及び、基材に支持される電気接続システムを含み、電気接続システムが、基材の第１の面に向かって延び、かつ、第１の面内の各孔を介して受けることができる自由端を有する複数の導電ポスト、及びポストを相互に電気的に接続する複数の導電体、を含むベースタイルアセンブリを与える。
【０００７】
ある実施形態において、基材は、鋳造可能な材料で製造され、導電体は、基材に取り付けられる。
【０００８】
しかしながら、もう１つの実施形態において、基材は、導電体が配置されるキャビティを定めるボトムシェルを含み得る。
【０００９】
ボトムシェルは、平坦な底面及び底面について広がる周壁を含むことが想定され、キャビティは、底面と周壁との間に定められる。
【００１０】
キャビティを有するボトムシェルを含む基材の実施形態において、キャビティは断熱材で満たされ得る。
【００１１】
基材がボトムシェルを含む実施形態において、基材は、キャビティに横たわり、そして、ポストの自由端が延びる複数の孔とともに与えられる。トップシェルは、例えば孔又は凹部の形式をとる複数のマーカとともに与えられ、各マーカは、それによって機械的な締結具が導電体から離れた基材を含む平面に垂直な平面においてマーカを通過する位置で配置される。
【００１２】
ベースタイルは、さらに、近接する近接ベースタイル間の防水シールを与えるためのタイルシーリングシステムとともに与えられる。シーリングシステムはまた、近接する近接タイル間に機械的接続を与え得る。ある実施形態において、タイルシーリングシステムは、ベースタイルの一方に沿って延びる、横に延びる舌状部と、ベースタイルの他方に沿って延びる縦の溝とを含み、ここで、舌状部と溝は、その間に防水シールを形成するために、近接するベースタイル溝と舌状部を相互に係合させるように構成される。
【００１３】
ある実施形態において、各導電体は、複数のポストが接続される導電レールを含む。この実施形態において、レールは基材の一方から他方に延び得る。加えて、各レールは、一端部での第１の電気コネクタ、及び第２の端部での補助的な第２の電気コネクタとともに与えられ、それによって、第１のベースタイルのレールの第１の電気コネクタが、対応している近接するベースタイルの各レールの間の電気的導通を与えるために、第２の近接するベースタイルのレールの第２の電気コネクタに接続し得る。
【００１４】
第１及び第２の電気コネクタの一方または両方は、相互に接続されたときに、機械的なバイアスが第１及び第２の電気コネクタの間の接続を維持するために作用する第１及び第２の電気コネクタの間の機械的なバイアスの力を作用させるために、弾力性の度合いとともに与えられ得る。
【００１５】
ある実施形態において、第１の電気コネクタはソケットの形式であり、第２の電気コネクタは、バナナプラグのような、１以上の放射状の弾力的な接触とともに与えられるプラグ形式である。
【００１６】
第１及び第２の電気コネクタはさらに、近接するベースタイルの間の分離の所定範囲に電気接続を維持するように構成される。
【００１７】
各ベースタイルの複数の導電レールは、導電性のための名目上の正極及び負極のレールを与えるために、ペアで配置され得る。さらに、各ペアの導電レールは、それらの各ポストが、ベースタイルの一方から他方に延びる直線上に交互に配置されるようにさらに設けられる。さらに、各ペアのレールは、それらの各ポストが一直線状であるように構成され得る。
【００１８】
ポストは、それらの各導電性のレールとともに一体的に形成され、又は、代わりに別々に形成され、実質的に対応するレールに接続される。
【００１９】
導電レールの代わりとして、導電体はワイヤの形式であり得る。ワイヤは、選択可能な接続構造を与えるために、カスタム接続を可能にするように構成され得る。例えば、ワイヤは、ポストに接続される光起電性タイルのような電気装置間の直列接続を与えるためのポストに接続され得る。この実施形態において、ボトムシェルは、各ポストを着座させる複数のソケットとともに形成され得る。ソケットは、ポストに対して締まりばめを与えるように構成され得る。加えて、ソケットのポストの一方又は両方はさらに、そこにワイヤとポストの間の電気的接続を与えるために、ワイヤの端部を把持するように構成される。各ソケットは、基材に取り付けられたボスの形式であり得る。
【００２０】
各ポストの自由端は、電気的要素に対する機械的及び電気的接続が可能な接続具とともに与えられる。
【００２１】
ある実施形態において、接続具は、弾力的な、又は弾力的に支持される、ポストに配置されるフィン又は鉤のような放射状に延びる複数の突起部を含む。もう１つの実施形態において、接続具は、放射状に延びるスプリングと、スプリングから離される、１以上の導電性の突起部とを含み、ポストの自由端は、突起部に接触させる装置の反対側にバイアスをかけるために装置の一方側に影響を及ぼすスプリングを伴う電気装置内の孔を介して通過できる。
【００２２】
しかしながら、更なる変形において、接続具は、ポストの自由端に形成されるねじ山と、ねじ山に螺合されるように適合されるナットとの組み合わせを含み得る。この実施形態において、ナットはキャップに収容され得る。キャップは、透明であり得る。さらに逆の構成において、接続具は、ポスト内に形成されたねじが形成された孔と、ねじがポストに係合するスクリュー又はボルトとを含み得る。
【図面の簡単な説明】
【００２３】
【図１】図１ａは、本発明の第１の実施形態に関するベースタイルの頂部の部分的な分解図であり、図１ｂは、図１ａに示すベースタイルの底部の分解図であり、図１ｃは、本発明の第２の実施形態に関するベースタイルの頂部の部分的な分解図である。
【図２】図２は、ベースタイルを支持構造に取り付ける方法を示す。
【図３】図３は、２つのベースタイルが互いに電気的に接続されたときの、ベースタイルに組み込まれた電気接続システムの表示である。
【図４】図４は、図２に示すベースタイルのＡＡ断面図である。
【図５】図５は、隣り合う２つのベースタイルの平面図である。
【図６】それぞれの結合の前の２つのベースタイルのコーナーの等角図である。
【図７】図７は、支持構造に接続される２つのベースタイルの断面図である。
【図８】図８は、ベースタイルと複数の光起電性タイルの実施形態を含む太陽パネルシステムの側面図である。
【図９】図９は、図８に示す太陽パネルのコーナーの拡大等角図である。
【図１０】図１０は、ベースタイルに組み込まれた電気接続システムの表示である。
【図１１】図１１は、電気接続システムに接続された光起電性タイルの拡大図である。
【図１２】図１２は、ベースタイルに組み込まれたもう１つの実施形態の電気接続システムに接続される光起電性タイルの表示である。
【図１３】図１３は、ベースタイルに組み込まれた更なる実施形態の電気接続システムに組み込まれたポストの表示である。
【図１４】図１４は、ベースタイルと併せて使用される光起電性タイルの表示である。
【図１５】図１５は、図１４に示す光起電性タイルの分解図である。
【図１６】図１６は、図１４及び１５に示す光起電性タイルに組み込まれたキャリヤタイルの概略表示である。
【図１７】図１７は、複数のベースタイル及び光起電性タイルに覆われた屋根の部分の概略表示である。
【図１８】図１８は、図１７に示す屋根部分の１つのコーナーの側部からの拡大図である。
【図１９】図１９は、図１ｃに示すベースタイルの実施形態のコーナーの拡大である。
【発明を実施するための形態】
【００２４】
添付の図面、特に図１ａ、図１ｂ及び図２〜４を参照すると、本発明に関するベースタイル１００の実施形態は、第１の表面１０４を有する基材１０２、及び基材１０２に支持される電気接続システム２００を含む。電気接続システム２００は、基材１０２の一方側から他方側に広がる導電性のレール２０２の形式における１以上の導電体を含む。各レール２０２には、１以上の導電性ポスト２０４が備えられる。各ポスト２０４は、この詳細な実施形態において、対応するレールの端の、基材１０２の第１の表面１０４に向かい、かつこれを越えて延びる自由端２０６を有する。
【００２５】
この実施形態において、基材１０２は、平面状の底面１１２を有するボトムシェル１１０、及び底面１１２について広がる周壁１１４を含む。底面１１２及び周壁１１４は、導電性のレール２０２が配置されるキャビティ１１６を定める。
【００２６】
選択的に、キャビティ１１６は、ベースタイルアセンブリ１１０を通じて断熱を与えるための断熱材で満たされていてもよい。
【００２７】
基材１０２がボトムシェル１１０とともに形成されるとき、キャビティ１１６に横たわり、かつ、ポスト２０４の自由端２０６が通って延びる複数の孔１２２とともに備えられるトップシェル１２０もまた与えられる。キャビティ１１６の反対側のトップシェル１２０の表面は、ベースタイル１００の第１の表面１０４を形成する。トップシェル１２０は、キャビティ１１６への水の進入を防止するために、ボトムシェル１１０に対してシールされる。これは、機械的なシール、シーリング材、接着剤、または超音波溶接の使用によって達成される。超音波溶接の使用は、特に、基材１０２がプラスチック材料で製造される場合に適している。
【００２８】
ベースタイル１００に対する圧縮抵抗の度合いを提供するために、キャビティ１１６に面するトップシェル１２０の表面１２４には、複数の依存する脚部又は支柱１２６（図１ｂ及び４参照）が備えられる。脚部１２６は、トップシェル１２０がボトムシェル１１０に取り付けられたときに、底面１１２に接触するように位置する。
【００２９】
ボトムシェル１１０には、互いに平行となって、キャビティ１１６の内側に広がり、シェル１１０の反対側に広がる２つのソリッドベンチ又はストリップ１２８が備えられる。ベースタイル１００は、厚さが厚くされたストリップ１２８を介して駆動される釘又はスクリュー１３０のような機械的な締結具によってラフタ４８に固定される。釘又はスクリューを、ストリップ１２８を介して駆動し、電気接続システム２００を避けるということを保証するために、トップシェル１２０には、それぞれが各コーナー内にある４つのマーカ１３２が備えられる。マーカ１３２は、第１の面１０４につくられる簡単で消去不能なマーク、凹部、又は貫通孔の形式であってもよい。
【００３０】
ベースタイル１００には、隣接するベースタイルの近傍の間に防水シールを与えるためのタイルシーリングシステム１３４が備えられる。特に図４−７を参照すると、この実施形態のタイルシーリングシステム１３４は、ベースタイル１００の２つの近接する側部に沿って延びる、横に延びる舌状部１３６と、ベースタイル１００の残りの２つの側部に沿って延びる縦溝１３８を含む。舌状部１３６は、図４及び図７において最も明確に示されるようなボトムシェル１１０に一体に形成される。ラバーシーリングストリップ１４０が、各舌状部１３６の反対側で、各舌状部１３６内に部分的に組み込まれる。各溝１３８は、ボトムシェル１１０とトップシェル１２０との間のスペースとして形成される。より詳しくは、図４を参照し、溝１３８は、周壁１１４の１つの中、トップシェル１２０のオーバハンギング部１４４中に形成される切り込みの組み合わせとして形成される。１つのベースタイルアセンブリの舌状部１３６が近接するベースタイルアセンブリの溝１３８内に挿入されたとき、防水シールが、近接するそれぞれのベースタイル１００の間に形成される。
【００３１】
基材１０２、より詳しくは、ボトムシェル１１０には、近接するベースタイル１００が互いに接続されたときに、導電性レール２０２間の電気的な接続を許容するために、反対の周壁１１４に沿う複数の孔１４６が備えられる。図８及び図９は、溝１３８を含む周壁１１４内に形成された孔１４６を示す。レール２０２の端部は、孔１４６を通じて延びる。近接するベースタイル上の孔１４６と一直線上となるボトムシェル１１０の対応する孔が、ボトムシェル１１０の反対側の周壁１１４内に形成される。それゆえ、２つのベースタイル１００が互いに接続されたとき、各タイル１００内の電気接続システム２００もまた、互いに電気的に接続される。
【００３２】
図１０は、電気接続システム２００の一形式のレール及びポストの詳細な構成を示す。この実施形態において、レール２０２は、金属製のチューブ又は棒の正方形断面の一般的な形式である。電導性ポスト２０４は、互いに平行に延び、レール２０４に対して垂直である。各ポスト２０４は、短い横リンク２０５によってレール２０２に接続される。ある実施形態において、ポスト２０４は、レール２０２と一体に形成されるリンク２０５に対して溶着され又は半田付けされてもよい。代わりに、リンク２０５は、別々に形成され、後でレール２０２に取り付けられてもよい。しかしながら、更なる変形において、ポスト２０４は、リンク２０５への接続のための取り外し可能なカップリングとともに与えられることが可能である。
【００３３】
レール２０２の反対の端部に備えられる雄型のコネクタ２０８及び雌型のコネクタ２１０は、近接するレール２０２間の電気的な接続を可能にするための電気接続システム２００に利用され得る補助的なコネクタの一形式を構成する。この実施形態において、雄型の端部２０８は、レール２０２の一端部に形成される２つのスプリングアーム２１２の形式であり、一方、雌型のコネクタ２１０は、レール２０２の他端部で簡単な孔２１４の形式である。スプリングアーム２１２が孔２１４に挿入されたときに、これらが、機械的な付勢力を作用するための弾力性を与えるようにすべく、スプリングアーム２１２及び孔２１４は、相対的に構成される。これは、近接するレール２０２間の機械的及び電気的な両方の接続を与えるように作用する。  
【００３４】
当業者に理解されるように、多くの異なるタイプの電気コネクタの構成が、各レール２０２の他端部に与えられ得る。例えば、スプリングアーム２１２は、バナナプラグタイプのコネクタに置き換えられ得る。代わりに、端部２０８は、孔２１４の内側の面に接触する、１以上のバネ付きの接触ボールとともに与えられ得る。実際には、孔２１４の内側の面もまた、対応するバネ付きのボールを受けるための、補助的に形成された溝とともに与えられ得る。
【００３５】
図１ｃ及び１９は、改良された電気接続システム２００ａにより、ベースタイル１００と異なるベースタイル１００ａの実施形態を示す。この実施形態において、導電体は、レール２０２というよりもむしろワイヤ２０４ａの形式であり、ポスト２０４ａに接続されている。ワイヤ２０４ａの使用は、所望の構成を達成するために、ワイヤ２０２ａが、ポストに接続され得る特注の接続構造を可能にする。例えば、ワイヤは、ポスト２０４ａに接続された装置の直列接続を与えるためのポスト２０４ａに接続され得る。ポスト２０４ａは、基材１０２のボトムシェル１１０ａに取り付けられるボス２０７の形式のソケット内に保持される。
【００３６】
ソケットは、ポスト２０４ａに対して締まりばめを与えるように構成され得る。加えて、ソケット及びポスト２０４ａの一方又は両方は、ワイヤ２０２ａとポスト２０４ａとの間の電気的な接続を与えるべく、ワイヤ２０２ａの端部をそこにクランプするように構成される。
【００３７】
上述したように、そして図４及び６に示されるように、各ポスト２０４の自由端２０６は、ベースタイル１００の第１の面１０４の上に延びる。自由端２０６は、電気要素に対する電気的接続及び選択的な機械的接続を可能にするように、接続具２１６に備えられる。この詳細な実施形態において、電気要素は、ホールターミナル２８及び３０とともに与えられる光起電性のタイル１０である。光起電性のタイル１０は、出願人の同時係属の出願２００８０６８２２−３号に記載されている。
【００３８】
しかしながら、端的に、及び図１４−１６を参照すると、光起電性タイル１０は、太陽電池１４を支持するキャリヤタイル１２を含む。より詳細には、キャリヤタイル１２は、くぼみ２０が形成され、光起電性タイル１０が位置する第１の側部１８を有する。カバープレート１６が太陽電池１４の上に横たわり、かつ、キャリヤタイル１２に位置付けられる。ホールターミナル２８及び３０は、キャリヤタイル１２の部分４４に形成され、バスバー３６，３８によって太陽電池１４に接続される。ターミナル２８及び３０、及び少なくともバスバーの長さは、キャリヤタイル１２内に組み込まれる。光起電性タイル１０は、スレートタイルの外観をまねた外観を有するように製造され得る。
【００３９】
接続具２１６の４つの異なる形式は、この明細書において記述されたが、しかし、当業者は、以下に記述される実施形態としての同じ機能を実行する接続具２１６のいかなる他の構成をも、本発明の他の実施形態に当然に使用できるということ理解するであろう。
【００４０】
複数の弾力的に支持される放射状に延びるフィン状又は鉤状の突起２１８が図４，８，１１に示される。ここで、ポスト２０２の自由端２０６について等しく配置された４つのフィン２１８が示される。各フィン２１８は、円形の上部ショルダ２２０とともに形成され、そして、ポスト２０４の外側に放射状に偏ったスプリングである。すなわち、フィン２１８は、自由端２０６が例えばホールターミナル２８を通過することを許容するために、スプリングバイアスに対して半径方向内方に移動可能である。自由端２０６が一旦ターミナル２８を通過すると、フィン２１８は、スプリングの作用によって放射状に外方に延び、そして、その下側の面が接触し、これによりターミナル２８との電気的な接続をなす。フィン２１８は、光起電性タイル１０を保持するための機械的な接続を与えることがさらに望ましい。ポスト２０４から光起電性タイル１０を機械的に分離するために、フィン２１８は、ターミナル２８の内径よりも小さな直径を有する円に集合的に外接する程度に、スプリングに抗して半径方向内方に押されなければならない。
【００４１】
弾性キャップ２２２は、電気接続システム２００が太陽電気屋根パネルに利用されるとき、被せられる光起電性タイル１０への緩衝度を与えるために、自由端２０６の頂部に備えられる。
【００４２】
図１２は、ポスト２０４の自由端２０６に関して形成されるねじ山２２４と、ねじ山２２４に螺合される、ねじ山が形成されたナット２２６との組み合わせを含む接続具２１６ｂの第２の形式を示す。ナット２２６は、導電性材料で製造される。水の進入と、接続具２１６ｂ及びターミナル２８に起こり得る浸食の危険性を最小にするために、ナット２２６は、貫通孔よりも止まり穴で形成される方がよい。
【００４３】
さらなる変形又は改良において、ナット２２６は、キャップ２２８によって組み込まれるか、又は運ばれ得る。これは、施工業者が、ポスト２０４にナット２２６を並べることを助けることができる。Ｏリングの形式の防水シールもまた、水の進入を防止し、それによってターミナル２８とポスト２０４の腐食のリスクを最小にするために、ターミナル２８に対するシールを形成するためのキャップ２２８の底面に組み込まれ得る。代わりに、キャップ２２８全体が、弾性材料で形成されてもよい。
【００４４】
図１３は、接続具２１６ｃの更なる変形を示す。この実施形態において、接続具２１６ｃは、自由端２０６の反対側から延びる、放射状に延びているスプリング２３０と、スプリング２３０の上に間隔をあける導電性フィンガ２３２との組み合わせを含む。フィンガ２３２は、貫通孔ターミナル２８を通過することを可能にするために、半径方向内方に付勢されるべく、弾力的に支持される。それ故、光起電性タイル１０を、接続具２１６ｃに提供されるポスト２０４に接続するために、フィンガ２３２は、光起電性タイル１０が自由端２０６に押されるように、内方に付勢される。スプリング２３０は、この過程中に、下方にそれる。フィンガ２３２がターミナル２８から無縁となるように、タイル１０が下に押されたとき、これらは、ターミナル２８の内径を越えて延びるようにスプリングを外側に離す。スプリング２３０は、舌状部２３２とターミナル２８との間の電気的接触の維持を助けるために、光起電性タイル１０の下側にバイアスをかける。
【００４５】
図１９は、接続具２１６ｄの第４の形式を示す。接続具２１６ｄは、トップシェル１２０ａに近接する端部で各ポスト２０４ａに形成される、ねじ山が形成された軸状の孔２５０と、孔２５０に螺合するために電気コネクタ２８，３０を通過可能なねじ山が形成されたシャンクを有するスクリュー又はボルト２５２との組合せを含む。これは、タイル１０のベースタイル１００ａへの機械的な固定と同様に、光起電性タイル１０と電気接続システム２００ａとの間の電気的接続を提供する。
【００４６】
図１ａ及び３に示すように、この電気接続システム２００の詳細な実施形態において、レール２０２はペアで配置される。これは、ペアのそれぞれのレールを、名目上の正電極と名目上の負電極として作用させ、対応するポスト２０４に接続される光起電性タイル１０間の並列接続を与えることができる（その一方、電気接続システム２００ａは、対応するベースタイル１００ａの電圧出力を増加させるために、光起電性タイル１０に直列接続を与えることがでる。）。さらに、図４とともに上述した図に示されるように、ペアの各レール２０２は、それらのそれぞれのポスト２０４がレール２０２に平行な方向に交互に配置され、そしてより詳細には、相互の配置である。ベースタイル１００の面１０４の上に延びるポスト２０４の自由端２０６を示す図２を参照して、例えば、底の列２０１の各第２の自由端２０６ａは、レールのペアの他方のレールに接続される、交互配列された各ポスト２０６ｂのペアとともに、同じレール２０２に接続される。それ故、光起電性タイル１０がベースタイル１００に取り付けられるとき、タイル１０のターミナル２８及び３０は、レールのペアの異なるレール２０２のポスト２０４に電気的に接続される。
【００４７】
図８、１７及び１８は、タイル１０が取り付けられたベースタイル１００を含む太陽電気屋根カバーを示す。図１７において、屋根３００の部分は、４つの平行なラフタ４８を含んで示される。９つのベースタイル１００が３行３列でラフタ４８に取り付けられる。各ベースタイル１００は、各ベースタイル１００において厚さの厚いストリップ１２８で駆動される釘１３０によって被さっているラフタ４８に固定される。ベースタイル１００は、溝１３８内の各舌状部１３６の係合によって防水カバーを構成する。３行３列の光起電性タイル１０の行列は、ベースタイル１００の面１０４の上に延びるポスト２０４の自由端２０６を伴う各ターミナル２８の係合によってベースタイル１００に接続される。
【００４８】
光起電性タイル１０は、下側の行に部分的に被さる上側の行を伴う各行５０ａ−５０ｉ内に配置される。例えば、光起電性タイルの行５０ｂは、部分的に行５０ａの光起電性タイル１０に被さる。オーバラップする範囲は、配置されるタイル１０の下の部分４４に対応する。
【００４９】
各行における光起電性タイル１０はまた、光起電性タイル１０の半分の幅によって交互になる。光起電性タイル１０を支持し、押し下げることをさらに助けるために必要される場合に、従来のスレートフックに似たフック３０２が使用され得る。各タイル１０の光起電性タイル１０によってつくられる電気は、ポスト２０６及びレール２０２を通じてバッテリ、ウォータラフタ、インバータ、又は他の電気機器のような遠隔の電気装置に伝導される。
【００５０】
ここで詳細に記述されたベースタイルの実施形態は、発明概念の基礎から離れることなしに、多くの修正及び変形がなされる従来技術における当業者に明らかとなるであろう。例えば、各ベースタイル１００は、正方形状の構成であるものとして示される。しかしながら、他の形状、特に矩形状も可能である。また、ベースタイル１００が９つの光起電性タイル１０を収容する大きさで示されるが、９つより少なく、または９つより多くの光起電性タイル１０を収容する大きさであってもよい。ボトムシェル１１０及びトップシェル１２０としての基材１０２を形成する代わりに、基材１２０は基材内に取り付けられる電気接続システム２００とともに取り付けられる単一のプラスチックとして形成されてもよい。また、溝１３８内の舌状部１３６は、ベースタイル１００の側部に与えられるオーバラッピングループの提供によって換えられてもよい。
【００５１】
当業者にとって明らかであろう全てのこのような他の修正及び変形は、本発明の範囲内のものであり、上記の内容及び添付の特許請求の範囲から決定される発明の本質の範囲内のものであると考えられる。
【図１】
2010065521.tif 000003
【図２】
2010065521.tif 000004
【図３】
2010065521.tif 000005
【図４】
2010065521.tif 000006
【図５】
2010065521.tif 000007
【図６】
2010065521.tif 000008
【図７】
2010065521.tif 000009
【図８】
2010065521.tif 000010
【図９】
2010065521.tif 000011
【図１０】
2010065521.tif 000012
【図１１】
2010065521.tif 000013
【図１２】
2010065521.tif 000014
【図１３】
2010065521.tif 000015
【図１４】
2010065521.tif 000016
【図１５】
2010065521.tif 000017
【図１６】
2010065521.tif 000018
【図１７】
2010065521.tif 000019
【図１８】
2010065521.tif 000020
【図１９】
2010065521.tif 000021
【外国語明細書】
2010065521.tif 000022
2010065521.tif 000023
2010065521.tif 000024
2010065521.tif 000025
2010065521.tif 000026
2010065521.tif 000027
2010065521.tif 000028
2010065521.tif 000029
2010065521.tif 000030
2010065521.tif 000031
2010065521.tif 000032
2010065521.tif 000033
2010065521.tif 000034
2010065521.tif 000035
2010065521.tif 000036
2010065521.tif 000037
2010065521.tif 000038
2010065521.tif 000039
2010065521.tif 000040
2010065521.tif 000041
2010065521.tif 000042
2010065521.tif 000043
2010065521.tif 000044
【ＦｉＧ１】
2010065521.tif 000045
【ＦｉＧ２】
2010065521.tif 000046
【ＦｉＧ３】
2010065521.tif 000047
【ＦｉＧ４】
2010065521.tif 000048
【ＦｉＧ５】
2010065521.tif 000049
【ＦｉＧ６】
2010065521.tif 000050
【ＦｉＧ７】
2010065521.tif 000051
【ＦｉＧ８】
2010065521.tif 000052
【ＦｉＧ９】
2010065521.tif 000053
【ＦｉＧ１０】
2010065521.tif 000054
【ＦｉＧ１１】
2010065521.tif 000055
【ＦｉＧ１２】
2010065521.tif 000056
【ＦｉＧ１３】
2010065521.tif 000057
【ＦｉＧ１４】
2010065521.tif 000058
【ＦｉＧ１５】
2010065521.tif 000059
【ＦｉＧ１６】
2010065521.tif 000060
【ＦｉＧ１７】
2010065521.tif 000061
【ＦｉＧ１８】
2010065521.tif 000062
【ＦｉＧ１９】
2010065521.tif 000063